(57)【要約】【課題】本発明はスライダー１６を簡単にハウジング１２に装着でき、スライダー１６を斜めに挿入してもスライダー１６の係合部２６が破損することがなく、安定した接続を得られるコネクタ１０を提供するものである。【解決手段】本目的は、スライダー１６の係合部２６の幅方向両側にハウジング１２のスリット２０に入る大きさの突出部２８を設け、ハウジング１２の係止溝３８の幅方向両側で高さ方向のほぼ中央まで逃げ溝３４を設け、ＦＰＣが挿入される前は係合部２６は逃げ溝３４内に位置しスライダー１６を厚み方向にフローティング可能にし、ＦＰＣが挿入されてスライダー１６が押し込まれた際には係合部２６は係止溝３８内に入りスライダー１６がガタ無くハウジング１２に固定されることにより達成できる。【選択図】　図１
2004139923.tif 000002
【特許請求の範囲】
【請求項１】
フレキシブルプリント基板（ＦＰＣ）又はフレキシブルフラットケーブル（ＦＦＣ）と着脱自在に嵌合するコネクタであって、該フレキシブルプリント基板又は前記フレキシブルフラットケーブルと接触する接触部を有する所要数のコンタクトと、このコンタクトが保持・固定されるとともに前記フレキシブルプリント基板又は前記フレキシブルフラットケーブルが挿入される嵌合口とスライダーの係合部が入る長手方向両側に設けられた係止溝を有するハウジングと、前記フレキシブルプリント基板（ＦＰＣ）又は前記フレキシブルフラットケーブル（ＦＦＣ）を前記コンタクトに押圧する押圧部と前記ハウジングの係止溝に入る係合部を有するスライダーとを備えるコネクタにおいて、
前記スライダーの係合部の幅方向両側に前記ハウジングのスリットに入る大きさの突出部を設け、前記ハウジングの係止溝の幅方向両側で高さ方向のほぼ中央まで逃げ溝を設け、前記フレキシブルプリント基板又は前記フレキシブルフラットケーブルが挿入される前は前記係合部は前記逃げ溝内に位置し前記スライダーを厚み方向にフローティング可能にし、前記フレキシブルプリント基板又は前記フレキシブルフラットケーブルが挿入されて前記スライダーが押し込まれた際には前記係合部は前記係止溝内に入り前記スライダーがガタ無く前記ハウジングに固定されることを特徴とするコネクタ。
【発明の詳細な説明】
【０００１】
【発明の属する技術分野】
本発明は、携帯電話等の電子機器や電気機器に使用されるコネクタに関するもので、特にフレキシブルプリント基板（以下「ＦＰＣ」という）やフレキシブルフラットケーブル（以下「ＦＦＣ」という）にコンタクトを押し付ける機構に関するものである。
【０００２】
【従来の技術】
携帯電話等の電子機器や電気機器に使用されるコネクタは、狭ピッチで極薄（所謂軽薄短小）であり、主にハウジングとコンタクトとスライダーとから構成され、ハウジングとスライダーとでＦＰＣ又はＦＦＣを挟持する構造であり、前記ハウジングにＦＰＣ又はＦＦＣを挿入した後にスライダーを挿入しＦＰＣ又はＦＦＣをコンタクトに押しつける構造のものである。
前記ハウジングには、前記コンタクトが挿入される所要数の挿入孔が設けられるとともにＦＰＣ又はＦＦＣが挿入される嵌合口が設けられ、長手方向両側に前記スライダーの係合部が入る係止溝が設けられている。
前記コンタクトは、主にＦＰＣ又はＦＦＣと接触する接触部と基板等に接続する接続部とハウジングに固定される固定部と備えており、圧入等によってハウジングに固定されている。
前記スライダーは略楔形状をしており、所要数のコンタクトが配置された前記ハウジングに、ＦＰＣ又はＦＦＣを挿入した後に、前記スライダーを挿入する。このようなスライダーは、主に前記ハウジングの係止溝に入る係合部とＦＰＣ又はＦＦＣをコンタクトの接触部に押圧する押圧部とを備えている。即ち、ＦＰＣ又はＦＦＣを挿入する際には力がいらないゼロインサーションフォース構造になっている。
【０００３】
【特許文献１】
例えば、ゼロインサーションフォース構造としては、実開平６−６０９８３号がある。実開平６−６０９８３号の要約によると、その目的は、電子機器や通信機器内の狭いスペースに使用されるスライダー付プリント基板用コネクタに関するものであり、その構成は、コネクタのスライダーの両側端部にそのスライダーが挿入されるハウジングへの挿入ガイドとして手前側が固定されたＵ字形状のアーム部を形成し、そのＵ字形状のアーム部の開放端側に凸部を設けるとともに、Ｕ字形状のアーム部の開放端が挿入方向から目視できるように切欠部を設け、ハウジングの両側端部にはスライダーの凸部が係合する傾斜面を有する突出部を設け、スライダーをフレキシブル・プリント基板の接続端子部とともにハウジングに挿入されるとき、当該スライダーの凸部がハウジングの傾斜面を有する突出部を乗り越えることにより、そのＵ字形状のアーム部の開放端が一時的に外側に広げられ、かつ挿入完了時にその開放端が正常位置に復帰するようにしたコネクタが開示されている。
【０００４】
【発明が解決しようとする課題】
上述のような構造のコネクタでは、ＦＰＣ又はＦＦＣとコンタクトとの接触圧（スライダーの押圧力）を一定にするために、前記ハウジングの係止溝と前記スライダーの係合部とのクリアランス（ガタ）がなく、コネクタが装着される機器が小型化しているので、作業性が悪く、前記スライダーを斜めに挿入すると係合部が破損すると言った課題があった。ましてやライトアングルタイプのコネクタの場合には、前記スライダーが斜めに挿入される確率がより高くなる。
また、前記スライダーが斜めに挿入され、スライダーの係合部が破損すると、スライダーの押圧力が不安定になり、しいては接触圧が不安定になり、接続不良の原因に繋がると言った問題もあった。
【０００５】
本発明は、このような従来の問題点に鑑みてなされたもので、スライダーを簡単にハウジングに装着でき、作業性もよく、スライダーを斜めに挿入してもスライダーの係合部が破損することがなく、安定した接続を得られるコネクタを提供せんとするものである。
【０００６】
【課題を解決するための手段】
上記目的は、ＦＰＣ又はＦＦＣと着脱自在に嵌合するコネクタ１０であって、該ＦＰＣ又は前記ＦＦＣと接触する接触部２３を有する所要数のコンタクト１４と、このコンタクト１４が保持・固定されるとともに前記ＦＰＣ又は前記ＦＦＣが挿入される嵌合口１８とスライダー１６の係合部２６が入る長手方向両側に設けられた係止溝３８を有するハウジング１２と、前記ＦＰＣ又は前記ＦＦＣを前記コンタクト１４に押圧する押圧部２４と前記ハウジング１２の係止溝３８に入る係合部２６を有するスライダー１６とを備えるコネクタ１０において、
前記スライダー１６の係合部２６の幅方向両側に前記ハウジング１２のスリット２０に入る大きさの突出部２８を設け、前記ハウジング１２の係止溝３８の幅方向両側で高さ方向のほぼ中央まで逃げ溝３４を設け、前記ＦＰＣ又は前記ＦＦＣが挿入される前は前記係合部２６は前記逃げ溝３４内に位置し前記スライダー１６を厚み方向にフローティング可能にし、前記ＦＰＣ又は前記ＦＦＣが挿入されて前記スライダー１６が押し込まれた際には前記係合部２６は前記係止溝３８内に入り前記スライダー１６がガタ無く前記ハウジング１２に固定されることにより達成できる。
【０００７】
【作用】
前記ＦＰＣ又はＦＦＣが前記ハウジング１２の嵌合口１８内に挿入された後に、前記スライダー１６の押圧部２４をハウジング１２の嵌合口１８内に挿入する際に、初めは前記スライダー１６の係合部２６がクリアランス（ガタ）のある前記ハウジング１２の逃げ溝３４に入り、更にスライダー１６が挿入されていくと誘い部３６に沿って、スライダー１６の係合部２６がハウジング１２の係止溝３８内に入り、位置決めされる。
【０００８】
【発明の実施の形態】
図に基づいて、本発明のコネクタについて説明する。
図１は本発明のコネクタの斜視図であり、図２はスライダーの斜視図である。図３はスライダーがコネクタに仮固定された状態の３方向の断面図であり、図４はスライダーがコネクタに固定された状態の３方向の断面図である。
本発明のコネクタ１０は、主にハウジング１２とスライダー１６とコンタクト１４とを備えている。
【０００９】
図に基づいて本発明のコネクタ１０の構成部品について説明する。
まず、本発明のポイントであるスライダー１６について説明する。このスライダー１６は電気絶縁性のプラスチックであり、公知技術の射出成形によって製作され、この材質としては寸法安定性や加工性やコスト等を考慮して適宜選択するが、一般的にはポリブチレンテレフタレート（ＰＢＴ）やポリアミド（６６ＰＡ、４６ＰＡ）や液晶ポリマー（ＬＣＰ）やポリカーボネート（ＰＣ）やこれらの合成材料を挙げることができる。該スライダー１６は主にハウジング１２に装着される部分と前記コンタクト１４にＦＰＣ又はＦＦＣを押圧する押圧部２４とを備えている。
前記ハウジング１２に装着される部分は、長手方向両側に設けられており、装着される部分は係合部２６とこの係合部２６から幅方向両側に突出した突出部２８と該係合部２６から長手方向両側で外側に突出したロック部３０及び仮ロック部３２とを備えている。
前記押圧部２４は前記係合部２６の間に位置し、ＦＰＣ又はＦＦＣをコンタクト１４に押圧するため略楔形状をしている。即ち、ハウジング１２の嵌合口１８に挿入される側が細く、反対側にいくにしたがって、厚くなっている。前記押圧部２４の厚さは、このような役割や強度やハウジング１２の嵌合口１８の大きさ等を考慮して、適宜設計する。
【００１０】
前記仮ロック部３２及び前記ロック部３０は、前記ハウジング１２の係止部２２に係合する部分である。前記仮ロック部３２が前記係止部２２に係合している時は、前記スライダー１６が前記ハウジング１２に仮固定された状態（ＦＰＣ又はＦＦＣが挿入される前の状態）であり、前記ロック部３０が前記係止部２２に係合している時は、前記スライダー１６が前記ハウジング１２に固定された状態（ＦＰＣ又はＦＦＣが挿入された状態）である。前記仮ロック部３２と前記ロック部３０の位置は、上述のようなことを考慮して、前記ハウジング１２の係止部２２に係合した際に、上述の位置関係になるように適宜設計する。
【００１１】
前記係合部２６は前記ハウジング１２の係止溝３８に入り、幅方向の位置決めをする部分である。この位置決めによって、幅方向の押圧部２４の位置が決まり、ＦＰＣ又はＦＦＣと前記コンタクト１４との接触圧が決まることになる。前記係合部２６の大きさは、このような役割を考慮して、前記ハウジング１２の係止溝３８とあまりクリアランス（ガタ）がないように適宜設計する。本実施例では、このクリアランスを０．０２〜０．１ｍｍ程度にしているが、理想的には０．０２〜０．０５ｍｍ程度である。
【００１２】
前記突出部２８は係合部２６の幅方向両側に設けられ、前記ハウジング１２のスリット２０に入り、長手方向の位置決めをする部分である。この位置決めによって、長手方向の押圧部２４の位置が決まり、確実にＦＰＣ又はＦＦＣを前記コンタクト１４に押しつけるようにするものである。前記突出部２８の厚みは、このような役割を考慮して、前記ハウジング１２のスリット２０とあまりクリアランス（ガタ）がないように適宜設計する。本実施例では、このクリアランスを０．０２〜０．１ｍｍ程度にしているが、理想的には０．０２〜０．０５ｍｍ程度である。前記突出部２８の高さは、前記係合部２６が前記ハウジング１２の逃げ溝３４から係止溝３８に入った後に、前記突出部２８が前記ハウジング１２のスリット２０に入るように適宜設計する。
【００１３】
次に、ハウジング１２について説明する。このハウジング１２は電気絶縁性のプラスチックであり、公知技術の射出成形によって製作され、この材質としては寸法安定性や加工性やコスト等を考慮して適宜選択するが、一般的にはポリブチレンテレフタレート（ＰＢＴ）やポリアミド（６６ＰＡ、４６ＰＡ）や液晶ポリマー（ＬＣＰ）やポリカーボネート（ＰＣ）やこれらの合成材料を挙げることができる。
前記ハウジング１２には、前記ＦＰＣ又はＦＦＣが挿入される嵌合口１８が設けられており、また、所要数のコンタクト１４が装着される挿入孔が設けられており、コンタクト１４の接触部２３が嵌合口１８内に突出するように圧入や引っ掛け（ランス）や溶着等によって固定されている。
【００１４】
前記ハウジング１２の長手方向両側には、前記スライダー１６が装着できる構造になっており、スリット２０や係止溝３８や逃げ溝３４や誘い部３６が設けられている。
前記スリット２０は図４（Ｂ）のように前記スライダー１６の突出部２８が入る部分であり、突出部２８で説明したような役割と前記スライダー１６のロック部３０及び仮ロック部３２が前記ハウジング１２の係止部２２に係合する際に弾性を持たせる為の部分である。前記スリット２０の大きさは、前記スライダー１６の突出部２８とあまりクリアランスがなく、かつ、前記ハウジング１２の強度や弾性等を考慮して適宜設計される。
【００１５】
前記係止溝３８や前記逃げ溝３４は前記スライダー１６の係合部２６が入る部分であり、前記誘い部３６は前記係合部２６が逃げ溝３４から係止溝３８に移動し易いようにするための誘い部分である。前記係止溝３８と前記係合部２６との関係は、上述した通りである。
前記逃げ溝３４は、スライダー１６をハウジング１２に装着する際に、前記係合部２６と逃げ溝３４の幅方向にクリアランス（ガタ）を持たせ、作業性もよく、スライダー１６を斜めに挿入してもスライダー１６の係合部２６が破損することがないようにしたものである。本実施例では、前記逃げ溝３４は上記役割を考慮して、前記係合部２６より０．５〜１ｍｍ程度大きくしてある。
【００１６】
次に、コンタクト１４について説明する。このコンタクト１４は金属製であり、公知技術のプレス加工によって製作されている。前記コンタクト１４の材質としては、バネ性や導電性などが要求されるので、黄銅やベリリウム銅やリン青銅等を挙げることができる。
前記コンタクト１４は、主にＦＰＣ又はＦＦＣと接触する接触部２３と基板に接続する接続部とハウジング１２に固定する固定部とを備えている。前記接触部２３は、ＦＰＣ又はＦＦＣと接触し易いように凸部形状にしており、前記接続部は表面実装タイプ（ＳＭＴ）やディップタイプがあり、その仕様等により適宜設計している。
【００１７】
最後に、スライダー１６の装着方法について説明する。
まず、スライダー１６の仮ロック部３２が前記ハウジング１２の係止部２２に係合するように仮装着する。この状態では前記スライダー１６の係合部２６は前記ハウジング１２の逃げ溝３４内にある。
次に、上記仮装着された状態で、前記ＦＰＣ又はＦＦＣを前記ハウジング１２の嵌合口１８内に挿入する。
次に、前記ＦＰＣ等が挿入された状態で、さらに、前記スライダー１６の押圧部２４をハウジング１２の嵌合口１８内に挿入する。すると、前記スライダー１６の係合部２６は前記ハウジング１２の逃げ溝３４内から誘い部３６に沿って係止溝３８内に入る（移動する）。
最後に、前記スライダー１６の係合部２６が前記ハウジング１２の係止溝３８内に完全に入った状態で、前記スライダー１６のロック部３０が前記ハウジング１２の係止部２２に係合し、装着が完了する。
【００１８】
【発明の効果】
以上の説明から明らかなように、本発明のコネクタ１０によると、次のような優れた効果が得られる。
（１）ＦＰＣ又はＦＦＣが挿入された後に、スライダー１６がハウジング１２に装着される際に、当初、スライダー１６の係合部２６はクリアランス（ガタ）のあるハウジング１２の逃げ溝３４内に入るので、作業性がよく、スライダー１６が斜めに挿入されても破損することがなく、安定した接続を得ることができる。
（２）スライダー１６の係合部２６とハウジング１２の逃げ溝３４とは、クリアランス（ガタ）のあるため、スライダー１６をハウジング１２に装着する際の作業性が良くなった。
（３）スライダー１６の係合部２６の幅方向両側に突出部２８を設け、該突出部２８をハウジング１２のスリット２０に挿入され、かつ、前記スライダー１６の係合部２６が前記ハウジング１２の係止溝３８に挿入されているので、スライダー１６の押圧部２４の長手方向及び幅方向の位置合わせが容易にでき、その為、安定した接触圧を得ることができる。
【図面の簡単な説明】
【図１】嵌合口側からみた本発明のコネクタの斜視図である。
【図２】本発明のスライダーの斜視図である。
【図３】（Ａ）
スライダーがハウジングへ装着される部分の中心で断面したものである。
（Ｂ）
（Ａ）のａ−ａ断面である。
（Ｃ）
（Ａ）のｂ−ｂ断面である。
【図４】（Ａ）
スライダーがハウジングへ装着される部分の中心で断面したものである。
（Ｂ）
（Ａ）のｃ−ｃ断面である。
（Ｃ）
（Ａ）のｄ−ｄ断面である。
【符号の説明】
１０　　　　　　　コネクタ
１２　　　　　　　ハウジング
１４　　　　　　　コンタクト
１６　　　　　　　スライダー
１８　　　　　　　嵌合口
２０　　　　　　　スリット
２２　　　　　　　係止部
２３　　　　　　　接触部
２４　　　　　　　押圧部
２６　　　　　　　係合部
２８　　　　　　　突出部
３０　　　　　　　　ロック部
３２　　　　　　　仮ロック部
３４　　　　　　　逃げ溝
３６　　　　　　　誘い部
３８　　　　　　　係止溝
【図１】
2004139923.tif 000003
【図２】
2004139923.tif 000004
【図３】
2004139923.tif 000005
【図４】
2004139923.tif 000006